(57)【要約】  空気調和機（１）の運転を制御するコントローラ（３）であって、端末装置（２）からデータを受信可能な無線通信部（９）と、端末装置（２）から受信したデータに基づいた画像の表示が可能な外部情報表示領域を有する主画面を表示する表示部（６）と、表示部（６）を制御する制御部（４）と、を備える。
2019064533.tif 000002
【特許請求の範囲】
【請求項１】
空気調和機の運転を制御するコントローラであって、
端末装置からデータを受信可能な通信部と、
前記端末装置から受信したデータに基づいた画像の表示が可能な外部情報表示領域を有する主画面を表示する表示部と、
前記表示部を制御する制御部と、
を備える
ことを特徴とするコントローラ。
【請求項２】
操作を受け付ける操作入力部を備え、
前記制御部は、前記操作入力部が受け付けた前記操作に基づいて、前記表示部に前記主画面を表示させているときに前記外部情報表示領域に前記データに基づいた画像の表示を行わせる
ことを特徴とする請求項１に記載のコントローラ。
【請求項３】
前記制御部は、前記主画面と、前記操作入力部が前記操作を受け付け可能であることを示す操作画面とを前記表示部に切り替えて表示させる
ことを特徴とする請求項２に記載のコントローラ。
【請求項４】
前記制御部は、前記表示部に前記操作画面を表示させている状態で、予め定めた時間の間に前記操作入力部における前記操作の受け付けが発生しなければ、前記表示部に前記主画面を切り替えて表示させる
ことを特徴とする請求項３に記載のコントローラ。
【請求項５】
前記データは画像データである
ことを特徴とする請求項１から４のいずれか１つに記載のコントローラ。
【請求項６】
前記データは天気情報であり、前記画像は前記天気情報にかかる画像である
ことを特徴とする請求項１から４のいずれか１つに記載のコントローラ。
【請求項７】
前記画像データおよび天気情報を記憶する記憶部を備え、
前記制御部は、前記表示部に前記画像データに基づいた画像または天気情報にかかる画像を前記外部情報表示領域に表示させる
ことを特徴とする請求項５に記載のコントローラ。
【請求項８】
空気調和機の運転を制御するコントローラと無線通信が可能な端末装置が実行する端末装置のプログラムであって、
無線通信が可能な前記コントローラの名称を前記端末装置の表示部に表示するステップと、
前記表示するステップで表示された前記コントローラから選択された前記コントローラに、前記端末装置の記憶部に保持されていて前記コントローラの表示部に表示可能な画像にかかるデータを前記端末装置が送信するステップと、
を含むことを特徴とする端末装置のプログラム。
【請求項９】
前記コントローラからの天気情報の取得要求に基づいて、前記端末装置に前記天気情報を取得させるステップと、
前記端末装置に取得させた前記天気情報を前記コントローラに転送させるステップと、
をさらに含むことを特徴とする請求項８に記載の端末装置のプログラム。
【発明の詳細な説明】
【技術分野】
【０００１】
本発明は、空気調和機を制御可能で画像を表示することができるコントローラおよびこれに接続する端末装置のプログラムに関する。
【背景技術】
【０００２】
空気調和機のコントローラには、壁面に設置されるタイプおよび持ち運び可能なタイプが従来から存在しており、これらのタイプのコントローラを用いて空気調和機の操作およびモニタリングが行われていた。これらのタイプのコントローラは、リビングの壁面またはテーブルの上といった多くの人の目に触れる場所に設置されることが多い。【０００３】
また、近年ではスマートフォンに代表されるような端末装置の普及に伴い、端末装置から無線通信により空気調和機の操作を行うことができるようになっている。そして、従来はコントローラを操作して実施していたスケジュール設定などを、端末装置を操作して、無線通信によりコントローラに対して実施することも可能となっている。このようにコントローラと端末装置とを連携させることで、利便性の向上が図られている。【０００４】
一方、店舗またはホテルでは、ブランドロゴをコントローラの画面上に表示することで、ブランドイメージを周知したいといった要望がある。また、家庭用のコントローラにおいても設置する部屋に応じて、子供の画像またはペットの画像をコントローラ上に表示することでオリジナリティを出したいといった要望がある。【０００５】
特許文献１では、ＮＦＣ（Near  Field  Communication）対応の携帯電話からＮＦＣ対応の非接触ＩＣ（Integrated  Circuit）カードの券面表示部に所有者が望む画像を表示させる技術が開示されている。
【先行技術文献】
【特許文献】
【０００６】
【特許文献１】特開２０１４−００２４５２号公報
【発明の概要】
【発明が解決しようとする課題】
【０００７】
しかしながら、従来の空気調和機のコントローラの待機画面においては運転状態または設定温度情報といった空気調和機に関する情報が画面に表示されており、ブランドロゴ、子供の画像、またはペットの画像といったユーザが提供した画像を表示するようなエリアは確保されていなかった。したがって、ユーザが希望した画像をコントローラの待機画面に表示することはできなかった。また、端末装置から画像を取得するということも空気調和機の従来のコントローラでは行われていないため、コントローラの画面にユーザが希望した画像を表示することは困難であった。したがって、ユーザ操作に応じて表示部の画面が切り替わるような空気調和機のコントローラにおいて、ユーザが選択した画像を表示させるということは行われていない。【０００８】
本発明は、上記に鑑みてなされたものであって、空気調和機を制御可能であって、ユーザが希望する画像を表示することが可能なコントローラを得ることを目的とする。
【課題を解決するための手段】
【０００９】
上述した課題を解決し、目的を達成するために、本発明は、空気調和機の運転を制御するコントローラであって、端末装置からデータを受信可能な通信部を備える。本発明は、端末装置から受信したデータに基づいた画像の表示が可能な外部情報表示領域を有する主画面を表示する表示部と、表示部を制御する制御部と、をさらに備えることを特徴とする。
【発明の効果】
【００１０】
本発明にかかるコントローラは、空気調和機を制御可能であって、ユーザが希望する画像を表示することが可能になるという効果を奏する。
【図面の簡単な説明】
【００１１】
【図１】本発明の実施の形態１にかかる空気調和システムの構成図
【図２】実施の形態１にかかる空気調和機のコントローラの外観図
【図３】実施の形態１にかかるコントローラの表示部が操作画面の１つを表示している様子を示す図
【図４】実施の形態１にかかる端末装置のアプリケーションの動作を説明するフローチャート
【図５】実施の形態１にかかる端末装置のアプリケーションが端末装置の表示部に表示する画面を示す図
【図６】図５に引き続いてアプリケーションが端末装置の表示部に表示する画面を示す図
【図７】図６に引き続いてアプリケーションが端末装置の表示部に表示する画面を示す図
【図８】図７に引き続いてアプリケーションが端末装置の表示部に表示する画面を示す図
【図９】実施の形態１にかかる空気調和機のコントローラの表示状態の遷移を説明するフローチャート
【図１０】本発明の実施の形態２にかかる空気調和システムの構成図
【図１１】実施の形態２にかかるコントローラの表示部が操作画面の１つを表示している様子を示す図
【図１２】実施の形態２にかかるコントローラの表示部が待機画面を表示している様子を示す図
【図１３】実施の形態２にかかる天気予報表示エリアの表示内容を具体的に示した図
【図１４】実施の形態１および２にかかるコントローラの制御部の機能を制御回路で実現する場合のハードウェア構成を示す図
【図１５】実施の形態１および２にかかるコントローラの制御部の機能を専用のハードウェアで実現する場合の構成を示す図
【図１６】実施の形態１および２にかかる端末装置の機能をコンピュータシステムで実現する場合のハードウェア構成を示す図
【発明を実施するための形態】
【００１２】
以下に、本発明の実施の形態にかかるコントローラおよび端末装置のプログラムを図面に基づいて詳細に説明する。なお、この実施の形態によりこの発明が限定されるものではない。
【００１３】
実施の形態１．
図１は、本発明の実施の形態１にかかる空気調和システム１００の構成図である。空気調和システム１００は、空気調和機１と、空気調和機１の運転を制御するコントローラ３と、端末装置２と、を備える。コントローラ３は、空気調和機１のコントローラである。なお、図示しないがコントローラ３は複数存在してもよい。
【００１４】
図１に示すように、コントローラ３は、空気調和機１と通信を行うための空気調和機通信部８と、端末装置２と無線通信を行うための通信部である無線通信部９と、空気調和機１が運転状態または停止状態であるかを表すためのＬＥＤ（Light  Emitting  Diode）１０と、を備える。無線通信部９は、端末装置２からのデータを受信する機能を有していればよく、無線通信を用いない通信部であってもかまわない。コントローラ３は、時間を計測するためのタイマー１１と、室温を測定するための室温センサ１２と、端末装置２から取得したデータを保存するためのデータ記憶部１３と、ユーザインターフェイスであるタッチパネル５と、をさらに備える。
【００１５】
さらに、コントローラ３は、上記した各機能要素に対して指令を送信し、各機能要素から情報の取得を行うための制御部４を有している。制御部４には、空気調和機通信部８、無線通信部９、ＬＥＤ１０、タイマー１１、室温センサ１２、データ記憶部１３およびタッチパネル５が接続されている。
【００１６】
ここで、空気調和機１と空気調和機通信部８との間では、空気調和機１の運転情報に関するデータのやり取りが行われる。また、端末装置２と無線通信部９との間では、空気調和機１の運転情報に関するデータに加え、コントローラ３の機能設定に関するデータのやり取りが行われる。なお、空気調和機１の運転情報に関するデータとは、具体的には、運転状態または停止状態、運転モード、設定温度といった空気調和機１が動作するために必要となるデータである。また、コントローラ３の機能設定に関するデータとは、具体的には、スケジュール設定、表示設定、時刻設定またはロゴ表示などに関するデータである。
【００１７】
タッチパネル５は、表示部６とユーザによる操作を受け付ける操作入力部７とから構成されている。表示部６は、空気調和機１から取得した空気調和機１の運転状態を表示する。また、表示部６はカラー表示可能である。操作入力部７が受け付けたユーザによる操作の内容は、空気調和機１および端末装置２も情報を共有できるように、制御部４を介して空気調和機１および端末装置２へと伝達される。同様に、空気調和機１の状態変化および端末装置２へのユーザの操作による機能設定の内容についても、タッチパネル５、空気調和機１および端末装置２の間でこれらの情報の共有ができるように制御部４を介して伝達される。
【００１８】
なお、コントローラ３が無線通信部９を介して無線通信を実施するか否かは、ユーザがタッチパネル５を介して設定できるようになっている。すなわち、ユーザがタッチパネル５を介して無線通信のオン状態またはオフ状態を切り替えることでコントローラ３が無線通信を実施するか否かを決定できるものとする。無線通信がオン状態になっている場合には、コントローラ３は無線接続待ち状態となり、端末装置２からの接続要求を待つ。また、タイマー１１は、必ずしも制御部４の外部に設けられていなくてもよく、制御部４が有するタイマー機能によって実現されてもかまわない。また、無線通信部９と端末装置２と間の通信方法の具体例は、Ｂｌｕｅｔｏｏｔｈ（登録商標）、Ｗｉ−Ｆｉ、ＮＦＣなどである。
【００１９】
図２は、実施の形態１にかかる空気調和機１のコントローラ３の外観図である。図２に示すように、コントローラ３の外観において、正面から見える位置にタッチパネル５およびＬＥＤ１０が配置されている。タッチパネル５は、表示部６と操作入力部７とが一体化されて構成されている。表示部６は、待機画面または操作画面を切り替えて表示することができるが、図２は、表示部６が主画面である待機画面を表示している状態を示している。なお、操作画面は、操作入力部７が操作を受け付け可能であることを示しており、その種類は複数であってもよい。図３は、実施の形態１にかかるコントローラ３の表示部６が操作画面の１つを表示している様子を示す図である。図３は、ロゴ画像表示設定のための操作画面である。表示部６が図３の操作画面を表示しているときに、操作入力部７がユーザによって選択された「しない」または「する」のいずれかの状態を受け付けて、制御部４が制御部４の記憶部またはデータ記憶部１３にいずれかの状態を設定することが可能になっている。
【００２０】
図２に示すように表示部６が待機画面を表示しているときは、表示部６の下部にロゴ画像といった外部から取得したデータが示す画像を表示するためのロゴ表示エリア５０が設けられている。ロゴ表示エリア５０は、無線通信によりコントローラ３が端末装置２から受信したデータに基づいた画像を表示するための外部情報表示領域である。コントローラ３が初期設定の状態では、ロゴ画像表示設定は「しない」に設定されているので、制御部４が表示部６に待機画面を表示させているときロゴ表示エリア５０はロゴ画像の表示はせず、表示部６の背景色と同じ色の表示になっている。コントローラ３は、端末装置２からロゴ画像の画像データを受信してデータ記憶部１３に記憶させることができる。コントローラ３が取得してデータ記憶部１３に記憶させた画像データが示すロゴ画像を待機画面のロゴ表示エリア５０に表示させたい場合には、図３のロゴ画像表示設定を「する」に変更しておく。ロゴ画像表示設定が「する」に設定されていると、制御部４は表示部６に待機画面を表示させるときに、併せて端末装置２から取得した画像データが示すロゴ画像をロゴ表示エリア５０に表示させる。なお、表示部６の背景色は、操作入力部７または端末装置２を介してユーザが設定できるものとする。
【００２１】
端末装置２からロゴ画像の画像データをコントローラ３に送信するためには、端末装置２のアプリケーションを利用する。端末装置２のアプリケーションは、空気調和システム１００専用に端末装置２にインストールされたアプリケーションであり、端末装置２が実行する端末装置２のプログラムである。図４は、実施の形態１にかかる端末装置２のアプリケーションの動作を説明するフローチャートである。図５は、実施の形態１にかかる端末装置２のアプリケーションが端末装置２の表示部に表示する画面を示す図である。図６は、図５に引き続いてアプリケーションが端末装置２の表示部に表示する画面を示す図である。図７は、図６に引き続いてアプリケーションが端末装置２の表示部に表示する画面を示す図である。図８は、図７に引き続いてアプリケーションが端末装置２の表示部に表示する画面を示す図である。図４から図８を用いて、端末装置２のアプリケーションにより端末装置２がコントローラ３に無線接続してロゴ画像の画像データを送信する手順を以下に説明する。
【００２２】
ここで、図示していないが端末装置２の周囲には１つ以上のコントローラ３が存在するとする。これらの１つ以上のコントローラ３は全て空気調和機１のリモートコントローラである。まず、端末装置２のアプリケーションが起動すると、端末装置２は無線接続が可能なコントローラ３から発信される信号を検出する（図４、ステップＳ１）。すると、端末装置２の表示部は、図５に示すように検出された無線通信が可能な１つ以上のコントローラ３が発信した信号から取得したそれぞれのコントローラ３の名称および当該信号の信号強度を表示する（ステップＳ２）。なお、端末装置２の周囲に複数のコントローラが存在している場合には、端末装置２が検出したコントローラ３すべての名称および信号強度を表示する。このとき、端末装置２に近いコントローラ３ほど信号強度が強く、接続対象となるコントローラ３は端末装置２に近接した位置に存在することが想定されるため、図５に示すように端末装置２の表示部は画面上部から信号強度の強いコントローラ３の順に表示する。これにより、表示部の画面から接続対象とするコントローラ３をユーザが容易に選択することができる。なお、アプリケーションが起動したときに、表示部の画面に表示されるコントローラ３は、先に説明したように無線通信がオン状態になっているものに限られる。
【００２３】
次に、ユーザは、図５に示された１つ以上のコントローラ３から接続対象とするコントローラ３を選択する。すると、端末装置２の表示部は、図６に示すパスワード入力画面を表示して（ステップＳ３）、ユーザ名およびパスワードの入力をユーザに促す。ユーザはユーザ名および選択したコントローラ３に設定されたパスワードを入力して、送信を決定する。選択されたコントローラ３は、入力されたパスワードなどを用いてユーザの認証を行って、問題がなければ端末装置２と無線接続する（ステップＳ４）。選択されたコントローラ３と無線接続すると、端末装置２の表示部は、図７に示す管理画面を表示する（ステップＳ５）。ユーザが、図７の管理画面に表示されたメニューからロゴ送信機能を選択すると、端末装置２の表示部は、図８に示すロゴ送信画面を表示する（ステップＳ６）。
【００２４】
図８に示すロゴ送信画面において、ユーザは、コントローラ３に送信したいロゴ画像の画像データを表示された画像をタップすることによって選択することが出来るようになっている。図８に示すロゴ送信画面において選択できる画像データは、端末装置２の内部の記憶部に保持されている画像データである。なお、ここで選択可能な画像データは、コントローラ３が表示可能な縦および横のサイズを満たす画像データである。コントローラ３が表示可能な上記のサイズを満たすような画像の画像データを選択すればよいので、画像データが示す画像はロゴ画像に限らず、ペット、子供または風景などのユーザが所望する画像であってもかまわない。図８に示すロゴ送信画面において、ユーザが画像データを選択した後に「ロゴ送信」を押下すると、端末装置２からコントローラ３へ、選択されたロゴ画像の画像データが送信される（ステップＳ７）。
【００２５】
上記ステップＳ７において端末装置２からコントローラ３へ送信されたロゴ画像の画像データは、無線通信部９を介して制御部４がデータ記憶部１３に記憶させる。ここで、コントローラ３において図３のロゴ画像表示設定が「する」に設定されていれば、表示部６が待機画面を表示するときに、データ記憶部１３に記憶されている画像データのロゴ画像がロゴ表示エリア５０に表示されるように制御部４が制御する。
【００２６】
なお、ロゴ画像以外のユーザが端末装置２において選択した画像をコントローラ３の待機画面で表示する場合は、図２の待機画面の外部情報表示領域であるロゴ表示エリア５０を当該画像の画像表示エリアに変更し、図３を画像表示設定の操作画面に変更し、図７および図８の「ロゴ送信」を「画像送信」に変更するなどすれば、上記と同様に待機画面における選択した画像の表示が可能である。
【００２７】
図９は、実施の形態１にかかる空気調和機１のコントローラ３の表示状態の遷移を説明するフローチャートである。
【００２８】
まず、コントローラ３の制御部４は、空気調和機通信部８と空気調和機１との通信を開始する（ステップＳ１１）。ステップＳ１１の後、コントローラ３の制御部４は、表示部６に図２に示した待機画面を表示させる状態へ遷移する（ステップＳ１２）。待機画面にはロゴ表示エリア５０が設けられている。このとき、コントローラ３のデータ記憶部１３に端末装置２からの画像データが記憶されており、且つ、図３のロゴ画像表示設定が「する」に設定されている場合は、制御部４は表示部６を制御して、記憶されている画像データのロゴ画像をロゴ表示エリア５０に表示させる。
【００２９】
ステップＳ１２でコントローラ３の表示部６が待機画面を表示している状態になると、タッチパネル５の操作入力部７がユーザからのタッチパネル操作を待っている状態となり、制御部４が操作入力部７を介してタッチパネル操作が発生したか否かを判定する（ステップＳ１３）。タッチパネル操作が発生しない場合（ステップＳ１３：Ｎｏ）、表示部６に待機画面の表示を維持させる（ステップＳ１２）。タッチパネル操作が発生した場合（ステップＳ１３：Ｙｅｓ）、制御部４は、表示部６に操作画面を表示させる状態へ遷移する（ステップＳ１４）。操作画面は、空気調和機１の運転情報に関するデータである運転状態または停止状態、運転モード、設定温度といった空気調和機１を動作させるために必要となる操作をユーザが行うことが可能な画面である。操作画面は、コントローラ３の機能設定に関するユーザ操作を行うことが可能な画面であってもよい。操作画面には、複数の画面が存在してもよく、図３も操作画面の１つである。
【００３０】
ステップＳ１４でコントローラ３の表示部６が操作画面を表示している状態になると、制御部４は、最後にタッチパネル操作が発生してからの経過時間を、操作入力部７およびタイマー１１を用いて測定する。そして、制御部４は、最後にタッチパネル操作が発生してから予め定めた時間が経過したか否かを判定する（ステップＳ１５）。最後にタッチパネル操作が発生してから予め定めた時間が経過していない場合（ステップＳ１５：Ｎｏ）、制御部４は表示部６に操作画面の表示を維持させる（ステップＳ１４）。最後にタッチパネル操作が発生してから予め定めた時間が経過した場合（ステップＳ１５：Ｙｅｓ）、制御部４は表示部６に待機画面を表示させる状態に遷移する（ステップＳ１２）。
【００３１】
すなわち、表示部６が操作画面を表示している状態で予め定めた時間の間にタッチパネル操作、すなわち操作入力部７におけるユーザによる操作の受け付けが発生しなければ、制御部４は表示部６に表示を切り替えさせて待機画面を表示させる。データ記憶部１３にロゴ画像の画像データが記憶されていて、且つロゴ画像表示設定が「する」に設定されていれば、上記のように表示部６に待機画面を表示させる状態に制御部４が遷移することにより、頻繁にユーザにロゴ画像を見せるようにすることができる。これにより、例えば、ホテルオーナーが自身のホテルのブランドロゴをホテル宿泊者である顧客に定着させたいといった要望がある場合、当該ブランドロゴのロゴ画像をロゴ表示エリア５０に表示するように設定しておけば、ユーザが顧客であるときにブランドロゴを見る機会が増えるため、ブランドロゴを顧客に効果的に定着させることができる。
【００３２】
なお、ステップＳ１５における予め定めた時間は、コントローラ３または端末装置２を介してユーザが設定して変更することができ、表示部６の表示を操作画面から待機画面に遷移させる頻度を調整することができる。
【００３３】
実施の形態１にかかる空気調和機１のコントローラ３および端末装置２のプログラムによれば、端末装置２に保存されている画像をコントローラ３が無線を介して取得し、コントローラ３の待機画面上に表示することが可能となる。これにより、独創性を有するロゴ画像のみならずペット、子供または風景などのユーザが希望する画像をコントローラ３の待機画面に表示することが可能となり、コントローラ３のユーザがブランドの認知向上を図るまたはオリジナリティを出すことができる。すなわち、コントローラ３を利用する者に対して新たな付加価値を提供することが可能になるという効果が得られる。
【００３４】
実施の形態２．
図１０は、本発明の実施の形態２にかかる空気調和システム２００の構成図である。空気調和システム２００の構成は、図１の空気調和システム１００の構成に加えて、端末装置２が無線によりインターネット１４と接続することが可能になっている。図１１は、実施の形態２にかかるコントローラ３の表示部６が操作画面の１つを表示している様子を示す図である。図１２は、実施の形態２にかかるコントローラ３の表示部６が待機画面を表示している様子を示す図である。また、空気調和システム２００のコントローラ３の表示状態の遷移も、図９に示したフローチャートに従う。
【００３５】
図１１の操作画面において、ユーザは、タッチパネル５を介して待機画面に何を表示するかを選択可能な構成となっており、「表示なし」、「ロゴ表示」または「天気予報表示」の３つから選択することができるようになっている。すなわち、表示部６が図１１の操作画面を表示しているときに、操作入力部７はユーザが選択した「表示なし」、「ロゴ表示」または「天気予報表示」のいずれかの状態を受け付けて制御部４の記憶部またはデータ記憶部１３に設定することが可能になっている。なお、上記「ロゴ表示」の代りにロゴ画像以外のユーザが選択した画像をコントローラ３の待機画面で表示したい場合は、「ロゴ表示」を「画像表示」などに変更すればよい。データ記憶部１３は、ロゴ画像またはそれ以外のユーザが選択した画像にかかる画像データおよび天気情報を記憶する。
【００３６】
端末装置２はインターネット１４に接続することが可能であり、インターネット１４から天気予報についての天気情報を定期的にまたは希望するタイミングで取得することができる。そして、端末装置２は、取得した天気情報をコントローラ３に無線により転送することができる。端末装置２から天気情報を転送されたコントローラ３は、取得した天気情報をデータ記憶部１３に記憶させることができる。ここで、コントローラ３において図１１の操作画面で「天気予報表示」が選択されている場合に表示部６が待機画面を表示するときは、図１２に示すように、端末装置２から取得してデータ記憶部１３に記憶されている天気情報にかかる画像が外部情報表示領域である天気予報表示エリア５１に表示される。
【００３７】
以上説明したように、データ記憶部１３は、端末装置２においてユーザが選択して端末装置２から受信した画像データに加えて端末装置２から取得した天気情報も記憶している。そして、操作画面におけるユーザの選択によって表示部６が外部情報表示領域に表示する画像をユーザが選択した画像データにかかる画像または天気情報にかかる画像のいずれかに切り替えることができる。また、データ記憶部１３は天気情報のみ記憶していても構わない。その場合は、「ロゴ表示」の選択ボタンを省いて、「表示なし」または「天気予報表示」の２つから選択することができるように図１１の表示を変更すればよい。
【００３８】
図１３は、実施の形態２にかかる天気予報表示エリア５１の表示内容を具体的に示した図である。天気予報表示エリア５１には、天気情報にかかる画像、具体的には天気予報の対象日、天候、最高気温および最低気温、降水確率などが表示可能となっている。天気予報の対象日は、待機画面を表示している当日およびその次の日の表示を一定時間ごとに切り替えて上記情報を表示するようにしてもよい。また、天候の表示については文字による表示も可能であるが、端末装置２から取得した天候に応じた絵を示す画像データをコントローラ３がデータ記憶部１３に記憶しておいて、当該画像データを用いて天候に応じた絵を表示して天候を表示しても良い。また、コントローラ３が対象日の天気情報を端末装置２から取得することができずデータ記憶部１３に記憶できていない場合には、対象日の天気予報は待機画面に表示されない。すなわち、待機画面において、図１１の操作画面で「表示なし」が選択されている場合と同様の表示が表示部６になされる。また、日付が変わるタイミングで端末装置２がインターネット１４から天気情報を取得してコントローラ３へと転送してデータ記憶部１３に記憶させるようにしてもよい。
【００３９】
また、図１３の更新ボタンをユーザが押下することによって、すなわち表示部６が天気予報表示エリア５１に図１３の表示をしている状態で操作入力部７が天気情報の更新の指示を受け付けた場合、コントローラ３から端末装置２に天気情報の取得要求を送信することが可能である。実施の形態１において説明した動作に加えて、端末装置２のアプリケーションは、コントローラ３からの天気情報の取得要求を端末装置２が受け取ると、端末装置２にインターネット１４から新たな天気情報を取得させる。さらに、端末装置２のアプリケーションは、端末装置２に取得させた天気情報をコントローラ３へと転送させる。これにより、コントローラ３がデータ記憶部１３に記憶されている天気情報を更新するようにしてもよい。また、端末装置２はインターネット１４以外から天気情報を取得してもかまわない。
【００４０】
実施の形態２にかかる空気調和機１のコントローラ３および端末装置２のプログラムによれば、端末装置２にユーザが直接アクセスしなくても、リビングなどに設定されているコントローラ３の表示部６を見れば、天気情報を確認することが可能となる。これにより、コントローラ３において天気情報を参考にしてユーザが空気調和機１の運転予約をすることが可能となる。また、従来、スマートフォンといった端末装置２を使用してユーザが確認していた天気情報をコントローラ３の画面でも確認することができるようになる。これにより、ユーザの利便性をさらに向上させるという効果が得られる。
【００４１】
実施の形態１および２にかかるコントローラ３の制御部４は制御回路で実現してもよい。図１４は、実施の形態１および２にかかるコントローラ３の制御部４の機能を制御回路で実現する場合のハードウェア構成を示す図である。実施の形態１および２にかかるコントローラ３の制御部４は図１４に示すような制御回路により実現することが可能である。この場合、制御部４の機能は、ＣＰＵ（Central  Processing  Unit）１０１およびメモリ１０２により実現される。したがって、制御部４の記憶部はメモリ１０２により実現される。制御部４の機能は、ソフトウェア、ファームウェア、またはソフトウェアとファームウェアとの組み合わせにより実現される。ソフトウェアまたはファームウェアはプログラムとして記述され、メモリ１０２に格納される。ＣＰＵ１０１は、メモリ１０２に記憶されたプログラムを読み出して実行することにより、制御部４の機能を実現する。すなわち、制御回路は、制御部４の機能を実現する動作を実施するステップを含んだプログラムを格納するためのメモリ１０２を備える。また、これらのプログラムは、制御部４の手順または方法をコンピュータに実行させるものであるともいえる。ここで、メモリ１０２とは、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（登録商標）（Electrically  Erasable  Programmable  Read  Only  Memory）といった不揮発性または揮発性の半導体メモリが該当する。
【００４２】
また、実施の形態１および２にかかるコントローラ３の制御部４は、専用のハードウェアで実現してもよい。図１５は、実施の形態１および２にかかるコントローラ３の制御部４の機能を専用のハードウェアで実現する場合の構成を示す図である。図１５に示すように制御部４は、専用のハードウェアである処理回路１０３で構成してもよい。処理回路１０３は、単一回路、複合回路、プログラム化したプロセッサー、並列プログラム化したプロセッサー、ＡＳＩＣ（Application  Specific  Integrated  Circuit）、ＦＰＧＡ（Field  Programmable  Gate  Array）、またはこれらを組み合わせたものが該当する。
【００４３】
実施の形態１および２にかかる端末装置２は、スマートフォンといったコンピュータシステムで実現される。図１６は、実施の形態１および２にかかる端末装置２の機能をコンピュータシステムで実現する場合のハードウェア構成を示す図である。端末装置２の機能をコンピュータシステムで実現する場合、端末装置２の機能は、図１６に示すようにＣＰＵ２０１、メモリ２０２、記憶装置２０３、表示装置２０４および入力装置２０５により実現される。端末装置２の機能は、ソフトウェア、ファームウェア、またはソフトウェアとファームウェアとの組み合わせにより実現される。ソフトウェアまたはファームウェアは、プログラムとして記述されて記憶装置２０３に格納される。ＣＰＵ２０１は、記憶装置２０３に記憶されたソフトウェアまたはファームウェアをメモリ２０２に読み出して実行することにより、端末装置２の機能を実現する。すなわち、コンピュータシステムは、端末装置２の機能がＣＰＵ２０１により実行されるときに、端末装置２の機能を実施するステップが結果的に実行されることになる端末装置２のプログラムを格納するための記憶装置２０３を備える。また、これらのプログラムは、端末装置２の機能が実現する処理をコンピュータに実行させるものであるともいえる。実施の形態１および２で説明した端末装置２のアプリケーションも上記プログラムの一つである。メモリ２０２は、ＲＡＭといった揮発性の記憶領域が該当する。記憶装置２０３は、ＲＯＭ、フラッシュメモリといった不揮発性または揮発性の半導体メモリ、磁気ディスクが該当する。表示装置２０４の具体例は、モニタ、ディスプレイである。端末装置２の表示部は、表示装置２０４により実現される。入力装置２０５の具体例は、キーボード、マウス、タッチパネルである。
【００４４】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４５】
１  空気調和機、２  端末装置、３  コントローラ、４  制御部、５  タッチパネル、６  表示部、７  操作入力部、８  空気調和機通信部、９  無線通信部、１０  ＬＥＤ、１１  タイマー、１２  室温センサ、１３  データ記憶部、１４  インターネット、５０  ロゴ表示エリア、５１  天気予報表示エリア、１００，２００  空気調和システム、１０１，２０１  ＣＰＵ、１０２，２０２  メモリ、１０３  処理回路、２０３  記憶装置、２０４  表示装置、２０５  入力装置。
【図１】
2019064533.tif 000003
【図２】
2019064533.tif 000004
【図３】
2019064533.tif 000005
【図４】
2019064533.tif 000006
【図５】
2019064533.tif 000007
【図６】
2019064533.tif 000008
【図７】
2019064533.tif 000009
【図８】
2019064533.tif 000010
【図９】
2019064533.tif 000011
【図１０】
2019064533.tif 000012
【図１１】
2019064533.tif 000013
【図１２】
2019064533.tif 000014
【図１３】
2019064533.tif 000015
【図１４】
2019064533.tif 000016
【図１５】
2019064533.tif 000017
【図１６】
2019064533.tif 000018
【国際調査報告】
2019064533.tif 000019
2019064533.tif 000020
2019064533.tif 000021